(57)【要約】      （修正有）【課題】結晶の角度調整完後、ロック用ネジの回転によって部材間の位置ズレが生じない結晶ホルダの提供。【解決手段】第１の角度調整部材14の貫通孔27にショルダーボルト52を挿通し、先端を結晶保持部材12のネジ穴20に螺合することによって両部材間が回転自在に係合され、角度調整部材14に固定された調整ネジ46の先端を結晶保持部材12の円筒状ナット21に螺合させることにより、結晶保持部材12がショルダーボルト52を軸に回転する。角度調整部材14の貫通孔27は、ショルダーボルトの胴部52ｂが回転自在に挿通される小径部56と、頭部52ａが収納される中径部57と、ロック用ワッシャ53を収納させる大径部58を備える。ロック用ネジ55の頭部によってロック用ワッシャ53が第２の段部60に押圧されて結晶保持部材12と第１の角度調整部材14とが固定される。【選択図】        図９
2006350159.tif 000002
【特許請求の範囲】
【請求項１】
電気光学結晶を含むユニットを保持する結晶保持部材と、角度調整部材とを備え、
上記角度調整部材に形成された貫通孔にショルダーボルトを挿通し、その先端を結晶保持部材のネジ穴に螺合することによって両部材間が回転自在に係合され、
角度調整部材に回転可能な状態で固定された調整ネジの先端を、結晶保持部材に設けられたネジ受け部材に螺合させることにより、この調整ネジの回転に伴って結晶保持部材が上記ショルダーボルトの胴部を軸に所定の方向に回転する構造を備えた結晶ホルダであって、
上記貫通孔は、ショルダーボルトの胴部が回転自在に挿通される小径部と、ショルダーボルトの頭部が収納される大径部を同心状に連通させた形状を備えており、
上記小径部と大径部との境界に形成される段部に上記ショルダーボルトの頭部が係合され、
上記角度調整部材の表面にロック用ワッシャが載置され、
この際にロック用ワッシャとショルダーボルトの頭部との間に隙間が形成されて両者間が非接触状態に維持され、
このロック用ワッシャの貫通孔にロック用ネジを挿通させ、その先端をショルダーボルトの頭部中央に形成されたネジ穴に螺合させると、ロック用ネジの頭部によってロック用ワッシャが角度調整部材の表面に押圧され、以て結晶保持部材と角度調整部材とが固定されることを特徴とする結晶ホルダ。
【請求項２】
電気光学結晶を含むユニットを保持する結晶保持部材と、角度調整部材とを備え、
上記角度調整部材に形成された貫通孔にショルダーボルトを挿通し、その先端を結晶保持部材のネジ穴に螺合することによって両部材間が回転自在に係合され、
角度調整部材に回転可能な状態で固定された調整ネジの先端を、結晶保持部材に設けられたネジ受け部材に螺合させることにより、この調整ネジの回転に伴って結晶保持部材が上記ショルダーボルトの胴部を軸に所定の方向に回転する構造を備えた結晶ホルダであって、
上記貫通孔は、ショルダーボルトの胴部が回転自在に挿通される小径部と、ショルダーボルトの頭部が収納される中径部と、ロック用ワッシャを収納させる大径部を同心状に連通させた形状を備えており、
上記小径部と中径部との境界に形成される第１の段部に上記ショルダーボルトの頭部が係合され、
上記中径部と大径部との境界に形成される第２の段部にロック用ワッシャが載置され、
この際にロック用ワッシャとショルダーボルトの頭部との間に隙間が形成されて両者間が非接触状態に維持され、
このロック用ワッシャの貫通孔にロック用ネジを挿通させ、その先端をショルダーボルトの頭部中央に形成されたネジ穴に螺合させると、ロック用ネジの頭部によってロック用ワッシャが第２の段部に押圧され、以て結晶保持部材と角度調整部材とが固定されることを特徴とする結晶ホルダ。
【請求項３】
上記結晶保持部材に設けられたネジ受け部材が、結晶保持部材の回転方向と同じ方向に回転可能な状態で配置されていることを特徴とする請求項１または２に記載の結晶ホルダ。
【請求項４】
電気光学結晶を含むユニットを保持する結晶保持部材と、第１の角度調整部材と、第２の角度調整部材とを備え、
上記第１の角度調整部材に形成された貫通孔にショルダーボルトを挿通し、その先端を結晶保持部材のネジ穴に螺合することによって両部材間が回転自在に係合され、
第１の角度調整部材に回転可能な状態で固定された調整ネジの先端を結晶保持部材に設けられたネジ受け部材に螺合させることにより、この調整ネジの回転に伴って結晶保持部材が上記ショルダーボルトの胴部を軸に所定の方向に回転し、
上記第２の角度調整部材に形成された貫通孔にショルダーボルトを挿通し、その先端を第１の角度調整部材のネジ穴に螺合することによって両部材間が回転自在に係合され、
第２の角度調整部材に回転可能な状態で固定された調整ネジの先端を第１の角度調整部材に設けられたネジ受け部材に螺合させることにより、この調整ネジの回転に伴って第１の角度調整部材が上記ショルダーボルトの胴部を軸に所定の方向に回転する構造を備えた結晶ホルダであって、
上記第１の角度調整部材の貫通孔は、ショルダーボルトの胴部が回転自在に挿通される小径部と、ショルダーボルトの頭部が収納される大径部を同心状に連通させた形状を備えており、
上記小径部と大径部との境界に形成される段部に上記ショルダーボルトの頭部が係合され、
上記第１の角度調整部材の表面にロック用ワッシャが載置され、
この際にロック用ワッシャとショルダーボルトの頭部との間に隙間が形成されて両者間が非接触状態に維持され、
このロック用ワッシャの貫通孔にロック用ネジを挿通させ、その先端をショルダーボルトの頭部中央に形成されたネジ穴に螺合させると、ロック用ネジの頭部によってロック用ワッシャが第１の角度調整部材の表面に押圧され、以て結晶保持部材と第１の角度調整部材とが固定され、
上記第２の角度調整部材の貫通孔は、ショルダーボルトの胴部が回転自在に挿通される小径部と、ショルダーボルトの頭部が収納される大径部を同心状に連通させた形状を備えており、
上記小径部と大径部との境界に形成される段部に上記ショルダーボルトの頭部が係合され、
上記第２の角度調整部材の表面にロック用ワッシャが載置され、
この際にロック用ワッシャとショルダーボルトの頭部との間に隙間が形成されて両者間が非接触状態に維持され、
このロック用ワッシャの貫通孔にロック用ネジを挿通させ、その先端をショルダーボルトの頭部中央に形成されたネジ穴に螺合させると、ロック用ネジの頭部によってロック用ワッシャが第２の角度調整部材の表面に押圧され、以て第１の角度調整部材と第２の角度調整部材とが固定されることを特徴とする結晶ホルダ。
【請求項５】
電気光学結晶を含むユニットを保持する結晶保持部材と、第１の角度調整部材と、第２の角度調整部材とを備え、
上記第１の角度調整部材に形成された貫通孔にショルダーボルトを挿通し、その先端を結晶保持部材のネジ穴に螺合することによって両部材間が回転自在に係合され、
第１の角度調整部材に回転可能な状態で固定された調整ネジの先端を結晶保持部材に設けられたネジ受け部材に螺合させることにより、この調整ネジの回転に伴って結晶保持部材が上記ショルダーボルトの胴部を軸に所定の方向に回転し、
上記第２の角度調整部材に形成された貫通孔にショルダーボルトを挿通し、その先端を第１の角度調整部材のネジ穴に螺合することによって両部材間が回転自在に係合され、
第２の角度調整部材に回転可能な状態で固定された調整ネジの先端を第１の角度調整部材に設けられたネジ受け部材に螺合させることにより、この調整ネジの回転に伴って第１の角度調整部材が上記ショルダーボルトの胴部を軸に所定の方向に回転する構造を備えた結晶ホルダであって、
上記第１の角度調整部材の貫通孔は、ショルダーボルトの胴部が回転自在に挿通される小径部と、ショルダーボルトの頭部が収納される中径部と、ロック用ワッシャを収納させる大径部を同心状に連通させた形状を備えており、
上記小径部と中径部との境界に形成される第１の段部に上記ショルダーボルトの頭部が係合され、
上記中径部と大径部との境界に形成される第２の段部にロック用ワッシャが載置され、
この際にロック用ワッシャとショルダーボルトの頭部との間に隙間が形成されて両者間が非接触状態に維持され、
このロック用ワッシャの貫通孔にロック用ネジを挿通させ、その先端をショルダーボルトの頭部中央に形成されたネジ穴に螺合させると、ロック用ネジの頭部によってロック用ワッシャが第２の段部に押圧され、以て結晶保持部材と第１の角度調整部材とが固定され、
上記第２の角度調整部材の貫通孔は、ショルダーボルトの胴部が回転自在に挿通される小径部と、ショルダーボルトの頭部が収納される中径部と、ロック用ワッシャを収納させる大径部を同心状に連通させた形状を備えており、
上記小径部と中径部との境界に形成される第１の段部に上記ショルダーボルトの頭部が係合され、
上記中径部と大径部との境界に形成される第２の段部にロック用ワッシャが載置され、
この際にロック用ワッシャとショルダーボルトの頭部との間に隙間が形成されて両者間が非接触状態に維持され、
このロック用ワッシャの貫通孔にロック用ネジを挿通させ、その先端をショルダーボルトの頭部中央に形成されたネジ穴に螺合させると、ロック用ネジの頭部によってロック用ワッシャが第２の段部に押圧され、以て第１の角度調整部材と第２の角度調整部材とが固定されることを特徴とする結晶ホルダ。
【請求項６】
上記結晶保持部材に設けられたネジ受け部材が、結晶保持部材の回転方向と同じ方向に回転可能な状態で配置されており、
上記第１の角度調整部材に設けられたネジ受け部材が、第１の角度調整部材の回転方向と同じ方向に回転可能な状態で配置されていることを特徴とする請求項４または５に記載の結晶ホルダ。
【発明の詳細な説明】
【技術分野】
【０００１】
この発明は、電気光学結晶を含むユニットを保持する結晶ホルダに係り、特に、結晶の角度を微調整する機構を備えた結晶ホルダに関する。
【背景技術】
【０００２】
レーザ発振器は、全反射ミラーと出力ミラーとの間に設置されたYAGロッド等のレーザ媒質に励起光を照射し、レーザ媒質から放出された光をミラー間で反射増幅させた後、その一部を出力ミラーから外部に取り出す仕組みを備えている。
また、出力ミラーから出射したレーザ光をKTPやBBO等の非線形光学結晶を通すことにより、波長が２分の１となる第二高調波や、波長が３分の１となる第三高調波を生成することも行われている。
そして、安定したレーザ出力を確保するには、対向配置させた全反射ミラー及び出力ミラーの向き（平行度）が重要となるのはもちろんであるが、上記結晶素子の軸方向が、レーザビームの伝播方向に対して所定の角度となるように正確に位置決めすることも極めて重要となる。
このため、結晶の角度を微調整するための機構を備えた結晶ホルダが、これまでも種々提案されている（下記の特許文献参照）。
【特許文献１】特開平１１−３２６９７０
【特許文献２】特開平８−３１８４７４５
【０００３】
図１４〜図１６は、従来の結晶ホルダの一例を示すものであり、この結晶ホルダ100は、ポッケルスセル101を挟持する結晶保持部材102と、この結晶保持部材102と回転自在に係合される第１の角度調整部材103と、この第１の角度調整部材103と回転自在に係合される第２の角度調整部材104とを備えている。
【０００４】
第１の角度調整部材103の天板105における中央付近には凹部106が形成されており、その凹部106の底面に形成された貫通孔には回転軸形成用のショルダーボルト107が挿通されている。このショルダーボルト107の先端は、結晶保持部材102の天井面108に螺合されている。
また、第１の角度調整部材103の天板105には３個の貫通孔が形成されており、各貫通孔にはロック用ネジ109が挿通されている。各ロック用ネジ109の先端は、結晶保持部材102の天井面108に螺合されている。
さらに、第１の角度調整部材103の垂直板110には貫通孔が形成されており、この貫通孔には調整ネジが111挿通されている。この調整ネジ111にはコイルスプリング112が挿通されており、その先端は結晶保持部材102に埋設されたナット113に螺合されている。
【０００５】
第２の角度調整部材104の垂直板114における中央付近には凹部115が形成されており、その凹部115の底面に形成された貫通孔には回転軸形成用のショルダーボルト116が挿通されている。このショルダーボルト116の先端は、第１の角度調整部材103の垂直板110に螺合されている。
また、第２の角度調整部材104の垂直板114には３個の貫通孔が形成されており、各貫通孔にはロック用ネジ117が挿通されている。各ロック用ネジ117の先端は、第１の角度調整部材103の垂直板110に螺合されている。
また、第２の角度調整部材104の右側面上部には貫通孔が形成されており、この貫通孔には調整ネジ118が挿通されている。この調整ネジ118にはコイルスプリング119が挿通されており、その先端は第１の角度調整部材103の右側面上部に埋設されたナット120に螺合されている。
さらに、第２の角度調整部材104の垂直板114には貫通孔121が形成されており、第１の角度調整部103材の垂直板110に挿通された調整ネジ111の頭部が露出している（図１６）。
【０００６】
以下において、この結晶ホルダ100の角度調整方法について説明する。
まず、第１の角度調整部材103の天板105に係合された３個のロック用ネジ109を外し、角度調整可能な状態となす。
つぎに、第２の角度調整部材104の垂直板114に形成された貫通孔121に六角レンチ等の工具を挿通させ、調整ネジ111を左右に回転させる。この調整ネジ111の回転に伴って結晶保持部材102側のナット113が前後に移動し、その結果、結晶保持部材102が第１のショルダーボルト107を軸にして左右（回転方向）に回転する。
回転方向に対する必要な角度調整が完了した時点で、３個のロック用ネジ109を再び締め上げ、結晶保持部材102の角度を固定させる。
【０００７】
つぎに、第２の角度調整部材104の垂直板114に係合された３個のロック用ネジ117を外し、角度調整可能な状態となす。
つぎに、第２の角度調整部材104の右側面に係合された調整ネジ118を工具を用いて左右に回転させる。この調整ネジ118の回転に伴って第１の角度調整部材103側のナット120が前後に移動し、その結果、第１の角度調整部材103がショルダーボルト116を軸にして上下（あおり方向）に回転する。
あおり方向に対する必要な角度調整が完了した時点で、３個のロック用ネジ117を再び締め上げ、第１の角度調整部材103の角度を固定させる。
【発明の開示】
【発明が解決しようとする課題】
【０００８】
この結晶ホルダ100は、上記のように第１の角度調整部材103の調整ネジ111を回転させることによって結晶保持部材102を回転方向に必要量回転させると共に、第２の角度調整部材104の調整ネジ118を回転させることによって第１の角度調整部材103をあおり方向に必要量回転させる構造を備えており、結果としてポッケルスセル101に含まれる結晶の方向を上下左右に調整可能となっている。
【０００９】
しかしながら、この従来の結晶ホルダ100の場合、ショルダーボルト107及び116によって形成される回転軸から離れた箇所に設けられた複数のロック用ネジ109及び117を締め上げることによってポッケルスセル101の角度が固定される仕組みであるため、固定作業に多くの手間がかかるのはもちろんのこと、このロック用ネジ109及び117を締め上げる際に生じるトルクによって位置ズレが生じてしまい、せっかく調整した部材間の角度が狂ってしまう可能性が高かった。
【００１０】
この発明は、従来の結晶ホルダが抱える上記の問題を解決するために案出されたものであり、結晶の角度調整が完了した後、ロック用ネジの回転に伴うトルクによって部材間の位置ズレが生じることのない結晶ホルダを提供することを目的としている。
【課題を解決するための手段】
【００１１】
上記の目的を達成するため、請求項１に記載の結晶ホルダは、電気光学結晶を含むユニットを保持する結晶保持部材と、角度調整部材とを備え、上記角度調整部材に形成された貫通孔にショルダーボルトを挿通し、その先端を結晶保持部材のネジ穴に螺合することによって両部材間が回転自在に係合され、角度調整部材に回転可能な状態で固定された調整ネジの先端を、結晶保持部材に設けられたネジ受け部材に螺合させることにより、この調整ネジの回転に伴って結晶保持部材が上記ショルダーボルトの胴部を軸に所定の方向に回転する構造を備えた結晶ホルダであって、上記貫通孔は、ショルダーボルトの胴部が回転自在に挿通される小径部と、ショルダーボルトの頭部が収納される大径部を同心状に連通させた形状を備えており、上記小径部と大径部との境界に形成される段部に上記ショルダーボルトの頭部が係合され、上記角度調整部材の表面にロック用ワッシャが載置され、この際にロック用ワッシャとショルダーボルトの頭部との間に隙間が形成されて両者間が非接触状態に維持され、このロック用ワッシャの貫通孔にロック用ネジを挿通させ、その先端をショルダーボルトの頭部中央に形成されたネジ穴に螺合させると、ロック用ネジの頭部によってロック用ワッシャが角度調整部材の表面に押圧され、以て結晶保持部材と角度調整部材とが固定されることを特徴としている。
【００１２】
請求項２に記載の結晶ホルダは、電気光学結晶を含むユニットを保持する結晶保持部材と、角度調整部材とを備え、上記角度調整部材に形成された貫通孔にショルダーボルトを挿通し、その先端を結晶保持部材のネジ穴に螺合することによって両部材間が回転自在に係合され、角度調整部材に回転可能な状態で固定された調整ネジの先端を、結晶保持部材に設けられたネジ受け部材に螺合させることにより、この調整ネジの回転に伴って結晶保持部材が上記ショルダーボルトの胴部を軸に所定の方向に回転する構造を備えた結晶ホルダであって、上記貫通孔は、ショルダーボルトの胴部が回転自在に挿通される小径部と、ショルダーボルトの頭部が収納される中径部と、ロック用ワッシャを収納させる大径部を同心状に連通させた形状を備えており、上記小径部と中径部との境界に形成される第１の段部に上記ショルダーボルトの頭部が係合され、上記中径部と大径部との境界に形成される第２の段部にロック用ワッシャが載置され、この際にロック用ワッシャとショルダーボルトの頭部との間に隙間が形成されて両者間が非接触状態に維持され、このロック用ワッシャの貫通孔にロック用ネジを挿通させ、その先端をショルダーボルトの頭部中央に形成されたネジ穴に螺合させると、ロック用ネジの頭部によってロック用ワッシャが第２の段部に押圧され、以て結晶保持部材と角度調整部材とが固定されることを特徴としている。
【００１３】
請求項３に記載の結晶ホルダは、請求項１または２に記載の結晶ホルダであって、さらに上記結晶保持部材に設けられたネジ受け部材が、結晶保持部材の回転方向と同じ方向に回転可能な状態で配置されていることを特徴としている。
【００１４】
請求項４に記載の結晶ホルダは、電気光学結晶を含むユニットを保持する結晶保持部材と、第１の角度調整部材と、第２の角度調整部材とを備え、上記第１の角度調整部材に形成された貫通孔にショルダーボルトを挿通し、その先端を結晶保持部材のネジ穴に螺合することによって両部材間が回転自在に係合され、第１の角度調整部材に回転可能な状態で固定された調整ネジの先端を結晶保持部材に設けられたネジ受け部材に螺合させることにより、この調整ネジの回転に伴って結晶保持部材が上記ショルダーボルトの胴部を軸に所定の方向に回転し、上記第２の角度調整部材に形成された貫通孔にショルダーボルトを挿通し、その先端を第１の角度調整部材のネジ穴に螺合することによって両部材間が回転自在に係合され、第２の角度調整部材に回転可能な状態で固定された調整ネジの先端を第１の角度調整部材に設けられたネジ受け部材に螺合させることにより、この調整ネジの回転に伴って第１の角度調整部材が上記ショルダーボルトの胴部を軸に所定の方向に回転する構造を備えた結晶ホルダであって、上記第１の角度調整部材の貫通孔は、ショルダーボルトの胴部が回転自在に挿通される小径部と、ショルダーボルトの頭部が収納される大径部を同心状に連通させた形状を備えており、上記小径部と大径部との境界に形成される段部に上記ショルダーボルトの頭部が係合され、上記第１の角度調整部材の表面にロック用ワッシャが載置され、この際にロック用ワッシャとショルダーボルトの頭部との間に隙間が形成されて両者間が非接触状態に維持され、このロック用ワッシャの貫通孔にロック用ネジを挿通させ、その先端をショルダーボルトの頭部中央に形成されたネジ穴に螺合させると、ロック用ネジの頭部によってロック用ワッシャが第１の角度調整部材の表面に押圧され、以て結晶保持部材と第１の角度調整部材とが固定され、上記第２の角度調整部材の貫通孔は、ショルダーボルトの胴部が回転自在に挿通される小径部と、ショルダーボルトの頭部が収納される大径部を同心状に連通させた形状を備えており、上記小径部と大径部との境界に形成される段部に上記ショルダーボルトの頭部が係合され、上記第２の角度調整部材の表面にロック用ワッシャが載置され、この際にロック用ワッシャとショルダーボルトの頭部との間に隙間が形成されて両者間が非接触状態に維持され、このロック用ワッシャの貫通孔にロック用ネジを挿通させ、その先端をショルダーボルトの頭部中央に形成されたネジ穴に螺合させると、ロック用ネジの頭部によってロック用ワッシャが第２の角度調整部材の表面に押圧され、以て第１の角度調整部材と第２の角度調整部材とが固定されることを特徴としている。
【００１５】
請求項５に記載の結晶ホルダは、電気光学結晶を含むユニットを保持する結晶保持部材と、第１の角度調整部材と、第２の角度調整部材とを備え、上記第１の角度調整部材に形成された貫通孔にショルダーボルトを挿通し、その先端を結晶保持部材のネジ穴に螺合することによって両部材間が回転自在に係合され、第１の角度調整部材に回転可能な状態で固定された調整ネジの先端を結晶保持部材に設けられたネジ受け部材に螺合させることにより、この調整ネジの回転に伴って結晶保持部材が上記ショルダーボルトの胴部を軸に所定の方向に回転し、上記第２の角度調整部材に形成された貫通孔にショルダーボルトを挿通し、その先端を第１の角度調整部材のネジ穴に螺合することによって両部材間が回転自在に係合され、第２の角度調整部材に回転可能な状態で固定された調整ネジの先端を第１の角度調整部材に設けられたネジ受け部材に螺合させることにより、この調整ネジの回転に伴って第１の角度調整部材が上記ショルダーボルトの胴部を軸に所定の方向に回転する構造を備えた結晶ホルダであって、上記第１の角度調整部材の貫通孔は、ショルダーボルトの胴部が回転自在に挿通される小径部と、ショルダーボルトの頭部が収納される中径部と、ロック用ワッシャを収納させる大径部を同心状に連通させた形状を備えており、上記小径部と中径部との境界に形成される第１の段部に上記ショルダーボルトの頭部が係合され、上記中径部と大径部との境界に形成される第２の段部にロック用ワッシャが載置され、この際にロック用ワッシャとショルダーボルトの頭部との間に隙間が形成されて両者間が非接触状態に維持され、このロック用ワッシャの貫通孔にロック用ネジを挿通させ、その先端をショルダーボルトの頭部中央に形成されたネジ穴に螺合させると、ロック用ネジの頭部によってロック用ワッシャが第２の段部に押圧され、以て結晶保持部材と第１の角度調整部材とが固定され、上記第２の角度調整部材の貫通孔は、ショルダーボルトの胴部が回転自在に挿通される小径部と、ショルダーボルトの頭部が収納される中径部と、ロック用ワッシャを収納させる大径部を同心状に連通させた形状を備えており、上記小径部と中径部との境界に形成される第１の段部に上記ショルダーボルトの頭部が係合され、上記中径部と大径部との境界に形成される第２の段部にロック用ワッシャが載置され、この際にロック用ワッシャとショルダーボルトの頭部との間に隙間が形成されて両者間が非接触状態に維持され、このロック用ワッシャの貫通孔にロック用ネジを挿通させ、その先端をショルダーボルトの頭部中央に形成されたネジ穴に螺合させると、ロック用ネジの頭部によってロック用ワッシャが第２の段部に押圧され、以て第１の角度調整部材と第２の角度調整部材とが固定されることを特徴としている。
【００１６】
請求項６に記載の結晶ホルダは、請求項４または５に記載の結晶ホルダであって、さらに上記結晶保持部材に設けられたネジ受け部材が、結晶保持部材の回転方向と同じ方向に回転可能な状態で配置されており、上記第１の角度調整部材に設けられたネジ受け部材が、第１の角度調整部材の回転方向と同じ方向に回転可能な状態で配置されていることを特徴としている。
【発明の効果】
【００１７】
請求項１または２に記載の結晶ホルダにあっては、結晶保持部材の回転軸となるショルダーボルトの頭部中央に形成されたネジ穴にロック用ネジを螺合させ、ロック用ワッシャを角度調整部材に押圧させることで両部材間の角度を固定する方式を採用しており、しかもショルダーボルトとロック用ワッシャ間には隙間が形成され、両者間の非接触状態が確保されているため、ロック用ネジを回転させても角度調整部材に余計なトルクが掛かることがない。
このため、結晶保持部材と角度調整部材とを固定する際に、せっかく調整した両部材間の角度がずれることを有効に防止することができる。
また、両部材間の角度の固定が一つのロック用ネジを締めることで完了するため、固定作業の簡略化を実現することができる。
【００１８】
請求項３に記載の結晶ホルダにあっては、調整ネジと対をなすネジ受け部材が結晶保持部材の回転方向と同じ方向に回転可能な状態で配置されているため、結晶保持部材と角度調整部材間の角度が変位してもネジ受け部材が回転することによってこれが吸収され、調整ネジとの間の角度が保持されることとなり、調整ネジの回転に支障を来すことを防止できる。
【００１９】
請求項４または５に記載の結晶ホルダにあっては、結晶保持部材の回転軸となるショルダーボルトの頭部中央に形成されたネジ穴にロック用ネジを螺合させ、ロック用ワッシャを第１の角度調整部材に押圧させることで両部材間の角度を固定する方式を採用しており、しかもショルダーボルトとロック用ワッシャ間には隙間が形成され、両者間の非接触状態が確保されているため、ロック用ネジを回転させても第１の角度調整部材に余計なトルクが掛かることがない。
このため、結晶保持部材と第１の角度調整部材間の角度を固定する際に、せっかく調整した両部材間の角度がずれることを有効に防止することができる。
また、第１の角度調整部材の回転軸となるショルダーボルトの頭部中央に形成されたネジ穴にロック用ネジを螺合させ、ロック用ワッシャを第２の角度調整部材に押圧させることで両部材間の角度を固定する方式を採用しており、しかもショルダーボルトとロック用ワッシャ間には隙間が形成され、両者間の非接触状態が確保されているため、ロック用ネジを回転させても第２の角度調整部材に余計なトルクが掛かることがない。
このため、第１の角度調整部材と第２の角度調整部材間の角度を固定する際に、せっかく調整した両部材間の角度がずれることを有効に防止することができる。
さらに、各部材間の角度の固定がそれぞれ一つのロック用ネジを締めることで完了するため、固定作業の大幅な簡略化を実現することができる。
【００２０】
請求項６に記載の結晶ホルダにあっては、第１の角度調整部材に係合された調整ネジと対をなすネジ受け部材が結晶保持部材の回転方向と同じ方向に回転可能な状態で配置されているため、結晶保持部材と第１の角度調整部材間の角度が変位してもネジ受け部材が回転することによってこれが吸収され、調整ネジとの間の角度が保持されることとなり、調整ネジの回転に支障を来すことを防止できる。
また、第２の角度調整部材に係合された調整ネジと対をなすネジ受け部材が第１の角度調整部材の回転方向と同じ方向に回転可能な状態で配置されているため、第１の角度調整部材と第２の角度調整部材間の角度が変位してもネジ受け部材が回転することによってこれが吸収され、調整ネジとの間の角度が保持されることとなり、調整ネジの回転に支障を来すことを防止できる。
【発明を実施するための最良の形態】
【００２１】
図１は、この発明に係る結晶ホルダ10の正面側を示す斜視図であり、図２はその背面側を示す斜視図である。
この結晶ホルダ10は、結晶保持部材12と、第１の角度調整部材14と、第２の角度調整部材16とを備えている。各部材は、アルミニウムによって形成されている。
【００２２】
図３は、各部材を分解させた状態を示す斜視図である。
結晶保持部材12は、直方体形状を基調としつつ、略円柱形状の切欠部18を設けた形状を備えている。この切欠部18内に、ポッケルスセル等の結晶ユニットが収納される。また、キューブ状のKTPやBBO結晶を収納する場合は、それぞれの形状に適した収納ケースを製作すればよい。
結晶保持部材12の天井面19の中央には、ショルダーボルト螺合用のネジ穴20が形成されている。
また、このネジ穴20の隣には、円筒状ナット21を収納するための凹部22が形成されている。
さらに、結晶保持部材12の内側面には、調整ネジ挿通用の凹部24が形成されている。
【００２３】
第１の角度調整部材14は、天板25と垂直板26を直角に連結させた断面略Ｌ字形状を備えており、天板25の中央には多段式貫通孔27が形成されている。
また、垂直板26の内側面には、ショルダーボルト螺合用のネジ穴28と、調整ネジ挿通用の貫通孔29と、円筒状ナット30を収納するための凹部31が形成されている。
さらに、垂直板26及び天板25の背面側接合部分には切欠部32が形成されており、この切欠部32の底面には調整ネジ挿通用の凹部33が形成されている。
【００２４】
第２の角度調整部材16は、垂直板34と底板35を連結させた断面略Ｌ字形状を備えており、垂直板34の中央には多段式貫通孔36が形成されている。
また、垂直板34には、第１の角度調整部材14の貫通孔29と対応する位置に、貫通孔37が形成されている。
また、垂直板34の上部には、第１の角度調整部材14の切欠部32に重ね合わせられる突出片38が形成されており、この突出片38には貫通孔39が形成されている。
さらに、底板35には固定用ボルトを挿通させるための貫通孔40が形成されている。
【００２５】
つぎに、図４に従い、結晶保持部材12と第１の角度調整部材14との係合方法について説明する。
まず、結晶保持部材12のナット収納用凹部22内に、円筒状ナット21を装填しておく。
図５に示すように、このナット収納用凹部22は、結晶保持部材12内において調整ネジ挿通用凹部24と交差している。
【００２６】
つぎに、第１の角度調整部材14の垂直板26に形成された調整ネジ挿通用貫通孔29に、調整ネジを回転自在に固定する。
すなわち、図６(a)に示すように、調整ネジ挿通用貫通孔29は、大径部と小径部を連通させた形状を備えており、その境目に形成される段部41にワッシャ42が配置されると共に、外面側からネジ頭部43の先端がこのワッシャ42に挿通される。
また、内面側からはネジ棒部44が貫通孔29に挿通される。このネジ棒部44の先端面にはネジ穴45が形成されており、このネジ穴45にネジ頭部43の先端が螺合され、所定の接着剤を介して両者間が固着される。
この結果、図６(b)に示すように、第１の角度調整部材14に回転自在に固定された調整ネジ46が形成される。
ネジ棒部44の先端には鍔部47が形成されており、これが貫通孔29の開口周縁部に当接するため、調整ネジ46が外面側に脱落することはない。また、ネジ頭部43はワッシャ42を介して段部41に当接するため、調整ネジ46が内面側に脱落することもない。
この調整ネジ46には、コイルスプリング48とワッシャ49が挿通される。
【００２７】
つぎに、この調整ネジ46を結晶保持部材12の凹部24に挿通させ、凹部22内に装填された円筒状ナット21の貫通ネジ穴21ａに螺合させる。
この結果、図７に示すように、調整ネジ46に挿通されたコイルスプリング48及びワッシャ49が凹部24内の段部に当接すると共に、ネジ棒部44が円筒状ナット21を貫通する。
この時点で、ネジ棒部44の後端と凹部24の底面との間には、所定のスペース50が確保されている。
【００２８】
つぎに、図８に示すように、第１の角度調整部材14の天板25に形成された多段式貫通孔27に、ウェーブワッシャ51、ショルダーボルト52、ロック用ワッシャ53、小径ワッシャ54、ロック用ネジ55を装着する。
この多段式貫通孔27は、小径部56、中径部57、大径部58を同心状に連通させた形状を備えており、小径部56と中径部57との境目に第１の段部59が形成され、中径部57と大径部58との境目に第２の段部60が形成されている。
【００２９】
この第１の段部59に上記のウェーブワッシャ51を載置した後、ショルダーボルト52の先端を結晶保持部材12の天井面19に形成されたネジ穴20に螺合させると、図９に示すように、結晶保持部材12の天井面19が第１の角度調整部材14の天板25に密着状態で係合される。
そして、ショルダーボルト52の胴部52ｂの直径が多段式貫通孔27の小径部56よりも若干径が小さいため、結晶保持部材12は第１の角度調整部材14の天板25に対し、ショルダーボルト52の胴部52bを軸に回転自在に係合されることとなる。
【００３０】
つぎに、第２の段部60にロック用ワッシャ53を載置すると共に、その上に小径ワッシャ54を重ね、各ワッシャの貫通孔にロック用ネジ55を挿通させる。
つぎに、ショルダーボルト52の頭部52ａの中央に形成されたネジ穴52ｃに、このロック用ネジ55の先端を螺合させる。
この際、ロック用ワッシャ53とショルダーボルト52の頭部52ａとの間には、僅かな隙間61が形成されるよう、各部の寸法が設定されている。
【００３１】
つぎに、図１０に従い、第１の角度調整部材14と第２の角度調整部材16との係合方法について説明する。
まず、第１の角度調整部材14のナット収納用凹部31内に、円筒状ナット30を装填しておく。
図示は省略したが、このナット収納用凹部31は、第１の角度調整部材14の天板25内において、調整ネジ挿通用凹部33と交差している。
【００３２】
つぎに、第２の角度調整部材16の突出片38に形成された調整ネジ挿通用貫通孔39に、調整ネジを回転自在に固定する。
すなわち、図１１(a)に示すように、調整ネジ挿通用貫通孔39は、大径部と小径部を連通させた形状を備えており、その境目に形成される段部62にワッシャ63が配置されると共に、外面側からネジ頭部64の先端がこのワッシャ63に挿通される。
また、内面側からはネジ棒部65が貫通孔39に挿通される。このネジ棒部65の先端面にはネジ穴66が形成されており、このネジ穴66にネジ頭部64の先端が螺合され、所定の接着剤を介して両者間が固着される。
この結果、図１１(b)に示すように、第２の角度調整部材16の突出片38に回転自在に固定された調整ネジ67が形成される。
ネジ棒部65の先端には鍔部68が形成されており、これが貫通孔39の開口周縁部に当接するため、調整ネジ67が外面側に脱落することはない。また、ネジ頭部64はワッシャ63を介して段部62に当接するため、調整ネジ67が内面側に脱落することもない。
この調整ネジ67には、コイルスプリング69とワッシャ70が挿通される。
【００３３】
つぎに、この調整ネジ67を第１の角度調整部材14の凹部33に挿通させ、凹部31内に装填された円筒状ナット30の貫通ネジ穴30ａに螺合させる。
この結果、図１２に示すように、調整ネジ67に挿通されたコイルスプリング69及びワッシャ70が凹部33内の段部に当接すると共に、ネジ棒部65が円筒状ナット30を貫通する。
この時点で、ネジ棒部65の後端と凹部33の底面との間には所定のスペース71が確保されている。
【００３４】
つぎに、図１３に示すように、第２の角度調整部材16の垂直板34に形成された多段式貫通孔36に、ウェーブワッシャ72、ショルダーボルト73、ロック用ワッシャ74、小径ワッシャ75、ロック用ネジ76を装着する。
この多段式貫通孔36は、小径部77、中径部78、大径部79を同心状に連通させた形状を備えており、小径部77と中径部78との境目に第１の段部80が形成され、中径部78と大径部79との境目に第２の段部81が形成されている。
【００３５】
この第１の段部80に上記のウェーブワッシャ72を載置した後、ショルダーボルト73の先端を第１の角度調整部材14の垂直板26に形成されたネジ穴28に螺合させると、第１の角度調整部材14の垂直板26が第２の角度調整部材16の垂直板34に密着状態で係合される。
そして、ショルダーボルト73の胴部73ｂの直径が多段式貫通孔36の小径部77よりも若干径が小さいため、第１の角度調整部材14は第２の角度調整部材16の垂直板34に対し、ショルダーボルト73の胴部73ｂを軸に回転自在に係合されることとなる。
【００３６】
つぎに、第２の段部81にロック用ワッシャ74を当接させると共に、その上に小径ワッシャ75を重ね、各ワッシャの貫通孔にロック用ネジ76を挿通させる。
つぎに、ショルダーボルト73の頭部73ａの中央に形成されたネジ穴73ｃに、このロック用ネジ76の先端を螺合させる。
この際、ロック用ワッシャ74とショルダーボルト73の頭部73ａとの間には、僅かな隙間82が形成されるよう、各部の寸法が設定されている。
【００３７】
この結晶ホルダ10の回転角度を調整する場合には、まず第１の角度調整部材14のロック用ネジ55を緩め、結晶保持部材12と第１の角度調整部材14間を回転可能な状態にする。
つぎに、六角レンチ等の工具を第２の角度調整部材16の垂直板34に形成された貫通孔37から挿入し、第１の角度調整部材14の垂直板26に係合された調整ネジ46を左右に必要量回転させる。
【００３８】
例えば、調整ネジ46を時計回りに回転させると、図７より明らかなように、円筒状ナット21が右方向に移動し、結果的に結晶保持部材12がショルダーボルト52を中心に左方向に回転することとなる。
これに対し、調整ネジ46を反時計回りに回転させると、円筒状ナット21が左方向に移動し、結果的に結晶保持部材12がショルダーボルト52を中心に右方向に回転することとなる。
【００３９】
調整ネジ46のネジ受け部材として上記のように円筒状ナット21を用い、このナット21は円筒状の凹部22内に回転自在に装填されている。また、円筒状ナット21の回転軸は、結晶保持部材12の回転軸と平行するように設定されている。
この結果、結晶保持部材12と第１の角度調整部材14間の角度が変位しても円筒状ナット21が回転することによってこれが吸収され、調整ネジ46と円筒状ナット21の貫通ネジ穴21ａ間の角度は180度に維持されることとなるため、調整ネジ46の回転に支障を来すことはない。
【００４０】
必要な角度調整が完了した後、ロック用ネジ55を締め上げると、ロック用ワッシャ53が多段式貫通孔27の第２の段部60に強く押圧され、その摩擦力によって結晶保持部材12と第１の角度調整部材14間が固定される。
このロックは、回転の中心軸として機能するショルダーボルト52の頭部中央に形成されたネジ穴52ｃに対して一本のロック用ネジ55を螺合させることで実現される。
このように、結晶保持部材12の回転軸と同軸上でロック用ネジ55の回転が実現される結果、回転軸の外側に配置された複数のロック用ネジを螺合させる場合のように強いトルクが発生することがなく、したがってせっかく調整した両部材間の位置がずれてしまうことを有効に防止できる。
また、１箇所のネジ止めでロックが完了するため、角度調整後における固定作業の効率化を実現できる利点もある。
【００４１】
上記のように、調整ネジ46の鍔部47及びワッシャ42によって第１の角度調整部材14の垂直板26が挟まれ、調整ネジ46の脱落が防止されているため、調整ネジ46を回転させると円筒状ナット21が確実に往復移動することとなる。
このため、一旦ロック用ネジ55を締めてロックさせた後も、調整ネジ46を強い力で回すことで結晶保持部材12と第１の角度調整部材14間の角度を微調整することが可能となる。
【００４２】
この結晶ホルダ10のあおり角度を調整する場合には、まず第２の角度調整部材16のロック用ネジ76を緩め、第１の角度調整部材14と第２の角度調整部材16間を回転可能な状態にする。
つぎに、六角レンチ等の工具によって第２の角度調整部材16の突出片38に係合された調整ネジ67を左右に必要量回転させる。
【００４３】
例えば、調整ネジ67を時計回りに回転させると、図１２より明らかなように、円筒状ナット30が右方向に移動し、結果的に第１の角度調整部材14がショルダーボルト73を軸に右方向に回転することとなる。
これに対し、調整ネジ67を反時計回りに回転させると、円筒状ナット30が左方向に移動し、結果的に第１の角度調整部材14がショルダーボルト73を軸に左方向に回転することとなる。
【００４４】
調整ネジ67のネジ受け部材として上記のように円筒状ナット30を用い、このナット30は円筒状の凹部31内に回転自在に装填されている。また、円筒状ナット30の回転軸は、第１の角度調整部材14の回転軸と平行するように設定されている。
この結果、第１の角度調整部材14と第２の角度調整部材16間の角度が変位しても円筒状ナット30が回転することによってこれが吸収され、調整ネジ67と円筒状ナット30の貫通ネジ穴30ａ間の角度は180度に維持されることとなるため、調整ネジ67の回転に支障を来すことはない。
【００４５】
必要な角度調整が完了した後、ロック用ネジ76を締め上げると、ロック用ワッシャ74が多段式貫通孔36の第２の段部81に押圧され、その摩擦力によって第１の角度調整部材14と第２の角度調整部材16間が固定される。
このロックは、回転の中心軸として機能するショルダーボルト73の頭部中央に形成されたネジ穴73ｃに対して一つのロック用ネジ76を螺合させることで実現される。
このように、第１の角度調整部材14の回転軸と同軸上でロック用ネジ76の回転が実現される結果、回転軸の外側に配置された複数のロック用ネジを螺合させる場合のように強いトルクが発生することがなく、したがってせっかく調整した両部材間の位置がずれてしまうことを有効に防止できる。
また、１箇所のネジ止めで完了するため、角度調整後における固定作業の効率化を実現できる利点もある。
【００４６】
上記のように、調整ネジ67の鍔部68及びワッシャ63によって第２の角度調整部材16の突出片38が挟まれ、調整ネジ67の脱落が防止されているため、調整ネジ67を回転させると円筒状ナット30が確実に往復移動することとなる。
このため、一旦ロック用ネジ76を締めてロックさせた後も、調整ネジ67を強い力で回すことで第１の角度調整部材14と第２の角度調整部材16間の角度を微調整することが可能となる。
【００４７】
この結晶ホルダ10は、上記のようにあおり方向及び回転方向での角度調整が可能であるため、例えばポッケルスセルのように二つの異なる軸方向での角度調整が求められる結晶ユニットを保持する際に特に有効である。
あるいは、BBO結晶とKTP結晶のように軸方向の異なる二つの結晶を一体化させた結晶ユニットを結晶保持部材12によって挟持し、それぞれの結晶が必要とする方向での角度調整を行うようにすれば、各結晶のユニットを別個に設置する場合に比べて省スペース化を実現可能となる。
ただし、この発明は必ずしも２軸での角度調整を可能とする構成に限定されるものではなく、結晶保持部材12と第１の角度調整部材14からなり、１軸での角度調整のみ可能なタイプの結晶ホルダにも適用することもできる。
【００４８】
上記のように、第１の角度調整部材14の天板25に、小径部56、中径部57及び大径部58を備えた多段式貫通孔27を形成し、中径部57にショルダーボルト52の頭部52ａを収納させると共に、大径部58にロック用ワッシャ53を収納させることにより、天板25の表面にロック用ワッシャ53が大きく出っ張ることを避けることができる。
ただし、大径部58の形成を省略し、ロック用ワッシャ53を天板25の表面に直に載置するように構成してもよい。
同様に、第２の角度調整部材16の垂直板34に大径部79を形成することなく、ロック用ワッシャ74を垂直板34の表面に直に載置するように構成してもよい。
【図面の簡単な説明】
【００４９】
【図１】この発明に係る結晶ホルダの正面側を示す斜視図である。
【図２】この発明に係る結晶ホルダの背面側を示す斜視図である。
【図３】結晶保持部材、第１の角度調整部材及び第２の角度調整部材を分解した状態を示す斜視図である。
【図４】結晶保持部材と第１の角度調整部材との係合方法を示す分解斜視図である。
【図５】結晶保持部材のナット収納用凹部内に、円筒状ナットを装填する様子を示す部分断面図である。
【図６】第１の角度調整部材に調整ネジを回転自在に固定する様子を示す部分断面図である。
【図７】第１の角度調整部材に係合された調整ネジを結晶保持部材の凹部に装填された円筒状ナットの貫通ネジ穴に螺合させた状態を示す部分断面図である。
【図８】第１の角度調整部材の多段式貫通孔にショルダーボルト、ロック用ワッシャ及びロック用ネジ等を装着させる様子を示す部分断面図である。
【図９】第１の角度調整部材の多段式貫通孔にショルダーボルト、ロック用ワッシャ及びロック用ネジ等を装着させた様子を示す部分断面図である。
【図１０】第１の角度調整部材と第２の角度調整部材との係合方法を示す分解斜視図である。
【図１１】第２の角度調整部材の突出片に調整ネジを回転自在に固定する様子を示す部分断面図である。
【図１２】第２の角度調整部材の突出片に係合された調整ネジを第１の角度調整部材の凹部に装填された円筒状ナットの貫通ネジ穴に螺合させた状態を示す部分断面図である。
【図１３】第２の角度調整部材の多段式貫通孔にショルダーボルト、ロック用ワッシャ及びロック用ネジ等を装着させた様子を示す部分断面図である。
【図１４】従来の結晶ホルダの正面を示す平面図である。
【図１５】従来の結晶ホルダの上面を示す平面図である。
【図１６】従来の結晶ホルダの右側面を示す平面図である。
【符号の説明】
【００５０】
10 結晶ホルダ
12 結晶保持部材
14 第１の角度調整部材
16 第２の角度調整部材
18 結晶保持部材の切欠部
19 結晶保持部材の天井面
20 ショルダーボルト螺合用のネジ穴
21 円筒状ナット
21ａ 円筒状ナットの貫通ネジ穴
22 ナット収納用凹部
24 調整ネジ挿通用凹部
25 第１の角度調整部材の天板
26 第１の角度調整部材の垂直板
27 第１の角度調整部材の多段式貫通孔
28 ショルダーボルト螺合用のネジ穴
29 調整ネジ挿通用貫通孔
30 円筒状ナット
30ａ 円筒状ナットの貫通ネジ穴
31 ナット収納用凹部
32 切欠部
33 調整ネジ挿通用凹部
34 垂直板
35 底板
36 多段式貫通孔
37 貫通孔
38 突出片
39 調整ネジ挿通用貫通孔
40 貫通孔
41 段部
42 ワッシャ
43 ネジ頭部
44 ネジ棒部
45 ネジ穴
46 調整ネジ
47 鍔部
48 コイルスプリング
49 ワッシャ
50 スペース
51 ワッシャ
52 ショルダーボルト
52b ショルダーボルトの胴部
52ａ ショルダーボルトの頭部
52ｂ ショルダーボルトの胴部
52ｃ ショルダーボルトのネジ穴
53 ロック用ワッシャ
54 小径ワッシャ
55 ロック用ネジ
56 多段式貫通孔の小径部
57 多段式貫通孔の中径部
58 多段式貫通孔の大径部
59 多段式貫通孔の第１の段部
60 多段式貫通孔の第２の段部
61 隙間
62 段部
63 ワッシャ
64 ネジ頭部
65 ネジ棒部
66 ネジ穴
67 調整ネジ
68 鍔部
69 コイルスプリング
70 ワッシャ
71 スペース
72 ワッシャ
73 ショルダーボルト
73ａ ショルダーボルトの頭部
73ｂ ショルダーボルトの胴部
73ｃ ショルダーボルトのネジ穴
74 ロック用ワッシャ
75 小径ワッシャ
76 ロック用ネジ
77 多段式貫通孔の小径部
78 多段式貫通孔の中径部
79 多段式貫通孔の大径部
80 多段式貫通孔の第１の段部
81 多段式貫通孔の第２の段部
82 隙間
【図１】
2006350159.tif 000003
【図２】
2006350159.tif 000004
【図３】
2006350159.tif 000005
【図４】
2006350159.tif 000006
【図５】
2006350159.tif 000007
【図６】
2006350159.tif 000008
【図７】
2006350159.tif 000009
【図８】
2006350159.tif 000010
【図９】
2006350159.tif 000011
【図１０】
2006350159.tif 000012
【図１１】
2006350159.tif 000013
【図１２】
2006350159.tif 000014
【図１３】
2006350159.tif 000015
【図１４】
2006350159.tif 000016
【図１５】
2006350159.tif 000017
【図１６】
2006350159.tif 000018